(57)【要約】【課題】点字判読の可否の如何を問わず視覚障害者に対し、かご内操作盤のフェースプレートに設けられた各階への行先階操作ボタンの中から、目的とする行先階操作ボタンの位置へ案内するエレベータ操作盤を提供すること。【解決手段】階数を示す数字を凸状１６または凹状１８に形成した複数の階操作ボタン１２ａ、１２ｂ・・・と、この階操作ボタンを間隔を置いて配置してなるフェースプレート１４と、前記階操作ボタン１２ａ、１２ｂ・・・の間のフェースプレート面に、この面から突出、または陥凹して設けられ、前記階操作ボタンの配列に添って案内する触知ガイド１４ａ、１４ｂ・・・とを具備して、エレベータの利用者がこれ等の階操作ボタン及び触知ガイドを辿って、目的の階の階操作ボタンに到達し、操作することを特徴とするエレベータ操作盤１１。【選択図】  図１
2004203616.tif 000002
【特許請求の範囲】
【請求項１】
複数の階操作ボタンと、
この階操作ボタンを間隔を置いて配置してなるフェースプレートと、
前記階操作ボタンの間のフェースプレート面に、この面から突出、または陥凹して設けられ、前記階操作ボタンの配列に添って案内する触知ガイドとを具備してなることを特徴とするエレベータ操作盤。
【請求項２】
前記階操作ボタンは、ボタン表面部に行先階を数字で凸状または凹状に形成した階表示を備えることを特徴とする請求項１記載のエレベータ操作盤。
【請求項３】
複数の階操作ボタンと、
この階操作ボタンを間隔を置いて配置してなるフェースプレートと、
前記階操作ボタンの近傍のフェースプレート面に、この階操作ボタンの行先階を数字で凸状または凹状に形成した階表示と、
前記階操作ボタンの間のフェースプレート面に、この面から突出、または陥凹して設けられ、前記階操作ボタンの配列に添って案内する触知ガイドとを具備してなることを特徴とするエレベータ操作盤。
【請求項４】
前記フェースプレートの上面に、前記複数の階操作ボタンのそれぞれの外周を凸形リング状に囲むボタン枠を設けたことを特徴とする請求項１乃至３のいずれかに記載のエレベータ操作盤。
【請求項５】
前記階操作ボタンの間のフェースプレート面に設けられる触知ガイドをそれぞれ照明する冷陰極蛍光ランプからなる発光体を備えて成ることを特徴とする請求項１乃至４のいずれかに記載のエレベータ操作盤。
【請求項６】
前記階操作ボタンの間のフェースプレート面に設けられる触知ガイドの形状は、当該階の階操作ボタンの間を、階順に辿る方向に延長するように配置される突起凸体であることを特徴とする請求項１乃至５のいずれかに記載のエレベータ操作盤。
【請求項７】
前記階操作ボタンの間のフェースプレート面に設けられる触知ガイドの形状は、当該階の階操作ボタンの間を、階順に辿る方向に伝播する波紋状に高低を繰り返す隆起線を有して、階順に辿る部分が尾根状に周囲より高く形成した隆起体であることを特徴とする請求項１乃至５のいずれかに記載のエレベータ操作盤。
【請求項８】
前記階操作ボタンの間のフェースプレート面に設けられる触知ガイドの形状は、当該階操作ボタンの横を巡り、これ等を階順に連続して辿る帯状の連続凸体であることを特徴とする請求項１乃至５のいずれかに記載のエレベータ操作盤。
【請求項９】
前記階操作ボタンの間のフェースプレート面に設けられる触知ガイドの形状は、当該階操作ボタンの間を、階順に辿る方向に延長するように配置され、それぞれの一端部と他の一端部の高さが異なる傾斜突起凸体であることを特徴とする請求項１乃至５のいずれかに記載のエレベータ操作盤。
【請求項１０】
前記階操作ボタンの間のフェースプレート面に設けられる触知ガイドの形状は、当該階操作ボタンの間を、階順に辿る方向に延長するように配置され、それぞれの一端部と他の一端部の幅が異なる楔状平板凸体であることを特徴とする請求項１乃至５のいずれかに記載のエレベータ操作盤。
【請求項１１】
前記階操作ボタンの間のフェースプレート面に設けられる触知ガイドの形状は、当該階操作ボタンの間を、階順に辿る方向に複数の突起体を配列した突起列体であることを特徴とする請求項１乃至５のいずれかに記載のエレベータ操作盤。
【請求項１２】
前記階操作ボタンの間のフェースプレート面に設けられる触知ガイドの形状は、当該階操作ボタンの間を、階順に辿る方向に延長するように陥凹して形成される凹溝体であることを特徴とする請求項１乃至５のいずれかに記載のエレベータ操作盤。
【発明の詳細な説明】
【０００１】
【発明の属する技術分野】
本発明は、エレベータのかご室内または乗場付近の建屋壁面に設けられ、乗降客が行先階を指定するエレベータ操作盤に関する。
【０００２】
【従来の技術】
従来のエレベータの行先階を指定する操作盤は、かご室内または乗場付近の建屋壁面に設けられる。例えば、従来のエレベータかご室の内部に設けられるかご内操作盤は、図１２に示すように、行先階ボタン１２２ａ〜１２２ｄ及び扉開閉ボタン１２３などの操作ボタンなどを備えるフェースプレート１２４によりカバー蓋されて、かご室１２０の内壁、例えばかご扉１２６の横のリターンパネル１２７に設けらる。
【０００３】
エレベータの乗降客は、フェースプレート１２４に設けられた行先階ボタン１２２ａ〜１２２ｄ及び扉開閉ボタン１２３のボタンキャップに表記された文字、記号を見て、希望する行先階が記された行先階ボタンを押して、エレベータの着床階を指定し、自動的に行われる扉１２６の開閉を乗降客自身が操作する時に、扉開閉ボタンを押す。
【０００４】
行先階ボタン１２２ａ〜１２２ｄに表記されている行先階が、視覚障害のために見えない人に対応するために、フェースプレート１２４の各操作ボタンの近傍に、扉の開、閉、及び行先の階数を記した点字銘板１２８ａ〜１２８ｅが取りつけられている。
【０００５】
【発明が解決しようとする課題】
しかし、視覚障害者の中で点字を読むことができる人は少数であるため、上に述べた従来の操作ボタンの近傍に取りつけられた点字銘板では、視覚障害者の大多数には、指定する階や扉の操作ボタンを探すことが困難になっていた。
【０００６】
また、これ等の操作ボタンの配列が意匠的見地から決定されており、上下あるいは左右の列方向、配列数、及びその階数並びの始めが上下あるいは左右の何れかなどの様々な配列の設定が製造当業者により種々になされるので、点字を読むことができる視覚障害者にとっても、乗ったエレベータのかご室、または、乗場付近の建屋壁面の操作ボタンの配置のタイプの確認を要する問題点もあった。
【０００７】
この発明は上記の問題点に鑑みてなされたもので、点字判読の可否の如何を問わず視覚障害者に対し、かご内操作盤または乗場付近の操作盤のフェースプレートに設けられた各階への行先階操作ボタンの中から、目的とする行先階操作ボタンの位置へ迅速に案内するエレベータ操作盤を提供することを目的とする。
【０００８】
【課題を解決するための手段】
本発明のエレベータ操作盤は、複数の階操作ボタンと、この階操作ボタンを間隔を置いて配置してなるフェースプレートと、前記階操作ボタンの間のフェースプレート面に、この面から突出、または陥凹して設けられ、前記階操作ボタンの配列に添って案内する触知ガイドとを具備してなるものである。
【０００９】
さらに、本発明のエレベータ操作盤は、前記階操作ボタンが、ボタン表面部に行先階を数字で凸状または凹状に形成した階表示を備えることを特徴とするものである。
【００１０】
また、本発明のエレベータ操作盤は、複数の階操作ボタンと、この階操作ボタンを間隔を置いて配置してなるフェースプレートと、前記階操作ボタンの近傍のフェースプレート面に、この階操作ボタンの行先階を数字で凸状または凹状に形成した階表示と、前記階操作ボタンの間のフェースプレート面に、この面から突出、または陥凹して設けられ、前記階操作ボタンの配列に添って案内する触知ガイドとを具備してなることを特徴とするものである。
【００１１】
さらに、本発明のエレベータ操作盤は、前記フェースプレートの上面に、前記複数の階操作ボタンのそれぞれの外周を凸形リング状に囲むボタン枠を設けたことを特徴とするものである。
【００１２】
さらに、本発明のエレベータ操作盤は、前記階操作ボタンの間のフェースプレート面に設けられる触知ガイドをそれぞれ照明する冷陰極蛍光ランプからなる発光体を備えて成ることを特徴とするものである。
【００１３】
さらに、本発明のエレベータ操作盤は、前記階操作ボタンの間のフェースプレート面に設けられる触知ガイドの形状が、当該階の階操作ボタンの間を、階順に辿る方向に延長するように配置される突起凸体であることを特徴とするものである。
【００１４】
さらに、本発明のエレベータ操作盤は、前記階操作ボタンの間のフェースプレート面に設けられる触知ガイドの形状が、当該階の階操作ボタンの間を、階順に辿る方向に伝播する波紋状に高低を繰り返す隆起線を有して、階順に辿る部分が尾根状に周囲より高く形成した隆起体であることを特徴とするものである。
【００１５】
さらに、本発明のエレベータ操作盤は、前記階操作ボタンの間のフェースプレート面に設けられる触知ガイドの形状が、当該階操作ボタンの横を巡り、これ等を階順に連続して辿る帯状の連続凸体であることを特徴とするものである。
【００１６】
さらに、本発明のエレベータ操作盤は、前記階操作ボタンの間のフェースプレート面に設けられる触知ガイドの形状が、当該階操作ボタンの間を、階順に辿る方向に延長するように配置され、それぞれの一端部と他の一端部の高さが異なる傾斜突起凸体であることを特徴とするものである。
【００１７】
さらに、本発明のエレベータ操作盤は、前記階操作ボタンの間のフェースプレート面に設けられる触知ガイドの形状が、当該階操作ボタンの間を、階順に辿る方向に延長するように配置され、それぞれの一端部と他の一端部の幅が異なる楔状平板凸体であることを特徴とするものである。
【００１８】
さらに、本発明のエレベータ操作盤は、前記階操作ボタンの間のフェースプレート面に設けられる触知ガイドの形状が、当該階操作ボタンの間を、階順に辿る方向に複数の突起体を配列した突起列体であることを特徴とするものである。
【００１９】
さらに、本発明のエレベータ操作盤は、前記階操作ボタンの間のフェースプレート面に設けられる触知ガイドの形状が、当該階操作ボタンの間を、階順に辿る方向に延長するように陥凹して形成される凹溝体であることを特徴とするものである。
【００２０】
【発明の実施の形態】
以下、本発明の実施形態を図面により詳細に説明する。
【００２１】
図１は、本発明のエレベータ操作盤をエレベータのかご室内に設置したエレベータかご内操作盤の実施形態を示すかご室の内部の模式図である。
【００２２】
以下にはエレベータかご室の内部に設けらエレベータかご内操作盤により説明するが、各階の乗場付近の壁面に設けられ、乗場操作盤も同様の構成で、設置される。
【００２３】
本発明のエレベータ操作盤をかご室内に設置したかご内操作盤１１は、図１（ａ）に示すように、かご室１の出入り口であるかご扉２ａ、２ｂの左右にあるリターンパネル３ａ、３ｂの何れか、若しくは両方（図示せず）に設けられる。また、車椅子使用者や子供の乗降客が操作しやすくするために、かご室１をかご天井４及びかご床５と共に構成する側板６の低い位置に、かご内操作盤１１（図示せず）を追加して設けても良い。
【００２４】
また、本発明のエレベータかご内操作盤１１は、同図（ｂ）に示すように、ボタンキャップ１５表面に階数を示す数字１６を凸状に、または、同図（ｃ）に示す、同じく数字１８を凹状に形成した行先階操作ボタン１２ａ、１２ｂ・・・と、この行先階操作ボタン１２ａ、１２ｂ・・・の階順にこれ等のボタンの配置を案内し、辿る凸状または溝状の触知ガイド１４ａ、１４ｂ・・・を備えるフェースプレート１４を備える。また、同図には図示していない他の実施形態では、行先階操作ボタン１２ａ、１２ｂ・・・の近傍のフェースプレート１４の上面に、階数を示す数字を凸状、または凹状に形成して、さらに前記触知ガイド１４ａ、１４ｂ・・・も設けるフェースプレート１４を備える。
【００２５】
なお、本発明のエレベータ操作盤１１には、上記の行先階操作ボタン１２ａ、１２ｂ・・・及びフェースプレート１４の他に、通常のエレベータかご内操作盤に備えられる、例えば、かご扉２ａ、２ｂの開閉を乗降客が制御する扉操作ボタン１３、緊急時にエレベータかごの外部と連絡するインターホン１７、保守点検などで特殊な操作をするために設けられる点検部（図示せず）などの操作盤の他の装備部が、従来のエレベータかご内操作盤と同様に備えられる。
【００２６】
本発明のエレベータかご内操作盤１１はリターンパネル３ａ、３ｂまたは側板６に、かご室に固定され、据付けられる。
【００２７】
また、本発明のエレベータ操作盤の他の実施形態は、上述と同様の、階数を示す数字１６を凸状または凹状に形成した、ボタンキャップ１５が突出している行先階操作ボタン１２ａ、１２ｂ・・・と、この行先階操作ボタン１２ａ、１２ｂ・・・の階順にこれ等のボタンの配置を案内し、繋ぐ凸状または溝状の触知ガイド１４ａ、１４ｂ・・・を備えるフェースプレート１４を備えて、各階の乗場付近の建屋壁面に固定され、据付けられる乗場操作盤（図示せず）も、上述のエレベータかご内操作盤と同様に構成される。
【００２８】
図２は、本発明の第１の実施形態を示す概念図であり、同図（ａ）は、本実施形態の行先階操作ボタン及びフェースプレートの触知ガイドを正面から見た図であり、同図（ｂ）は、同じくフェースプレート等を斜め横から見て、凹凸の様子を示す図である。
【００２９】
第１の実施形態のかご内操作盤２１は、図２に示すように、階数字が凸状若しくは凹状に形成され、突出したボタンキャップを備える行先階操作ボタン２２ａ、２２ｂ・・・と、この行先階操作ボタン２２ａ、２２ｂ・・・の間を、階順に辿る方向に長く配置された突起凸体２４ａ、２４ｂ・・・の触知ガイドを備えるフェースプレート２４により、かご室側からカバー保護して、操作盤の他の装備と共にかご室１の例えば片側のリターンパネルに設置される。
【００３０】
第１の実施形態の作用は、先ず、点字の判読を習熟していない視覚障害者が、エレベータのかご室１に乗り込み、かご室１の壁伝い進むと、壁面を構成するのリターンパネルに設置されたかご内操作盤２１の一部に触れることができる。さらに付近を触れると、突出した丸みのある触感と、直線の突起の触感とを区別して知覚できて、丸みのある方の凸状または凹状に形成された階数字を指先の触覚で知覚する。この知覚により、行先階操作ボタン２２ａ、２２ｂ・・・であることとその操作ボタンの指示する階も認識できる。この操作ボタンが目的の階の行先階操作ボタンでない場合は、この操作ボタンに連なる直線の突起の触感がする突起凸体２４ａ、２４ｂ・・・を辿って、順次目的の階の行先階操作ボタン２２ａ、２２ｂ・・・に到達する。
【００３１】
本実施形態によれば、点字の判読を習熟していない視覚障害者でも、行先階操作ボタンの指示する階を認識できる。また、触知している行先階操作ボタン以外の他の行先階操作ボタンの存在場所を、行先階操作ボタンの間を辿る方向に配置された突起凸体により簡単に察知できるので、目的とする階の操作ボタンに素早く、容易に到達できる効果がある。
【００３２】
また、視覚に障害のない健常者のエレベータの乗降客に対しても、行先階操作ボタンとその配列順を違和感の無い認知ができる、意匠的にも損なうところの無いかご内操作盤を提供することができる利点がある。
【００３３】
なお、フェースプレート２４に形成する触知ガイドである突起凸体２４ａ、２４ｂは、両面接着テープによる貼着、接着剤による接着、注型金型による注型形成、ネジによる固定等の何れにより形成しても、上述と同等の効果が得られる。
【００３４】
図３は、本発明の第２の実施形態を示す概念図であり、同図（ａ）は、本実施形態の行先階操作ボタン及びフェースプレートの触知ガイドを正面から見た図であり、同図（ｂ）は、同じくフェースプレート等を斜め横から見て、凹凸の様子を示す図である。
【００３５】
第２の実施形態のかご内操作盤３１は、階数字が凸状または凹状に形成された突出したボタンキャップを備える行先階操作ボタン３２ａ、３２ｂ・・・と、この行先階操作ボタン３２ａ、３２ｂ・・・の間を、階順に辿る方向に伝播する波紋状に波打つ繰り返した隆起線を備えて、階順に辿る部分が尾根状に周囲より高くなように形成した隆起体３４ａ、３４ｂ・・・の触知ガイドを備えるフェースプレート３４により、かご室側からカバー保護して、操作盤の他の装備と共にかご室１の例えば片側のリターンパネルに設置される。
【００３６】
第２の実施形態の作用は、視覚障害者がかご内操作盤３１の一部に触れ、さらに付近を触れると、突出した丸みのある触感と、波紋状に波打つ隆起の触感とを区別して知覚する。丸みのある方の凸状または凹状に形成された階数字を指先の触覚で知覚し、その操作ボタンの指示する階も認識できる。この操作ボタンが目的の階の行先階操作ボタンでない場合は、この操作ボタンに連なる波紋状に波打つ触感の隆起体３４ａ、３４ｂ・・・を隆起の方向に辿って、目的の階の行先階操作ボタン３２ａ、３２ｂ・・・に到達する。
【００３７】
本実施形態によれば、点字の判読を習熟していない視覚障害者でも、フェースプレートの特異な触感で、行先階を凸状または凹状に形成した行先階操作ボタンと、触知している行先階操作ボタン以外の他の行先階操作ボタンの存在場所を、行先階操作ボタンの間を辿る方向に配置された隆起体の連なりにより簡単に察知できるので、目的とする階の操作ボタンにすばやく、容易に到達できる効果がある。
【００３８】
図４は、本発明の第３の実施形態を示す概念図であり、同図（ａ）は、本実施形態の行先階操作ボタン及びフェースプレートの触知ガイドを正面から見た図であり、同図（ｂ）は、同じくフェースプレート等を斜め横から見て、凹凸の様子を示す図である。
【００３９】
第３の実施形態のかご内操作盤４１は、階数字が凸状または凹状に形成された突出したボタンキャップを備える行先階操作ボタン４２ａ、４２ｂ・・・と、この行先階操作ボタン４２ａ、４２ｂ・・・の横を巡り、さらに操作ボタン間を連続して、階順に辿る帯状の連続凸体４４ａの触知ガイドを備えるフェースプレート４４により、かご室側からカバー保護して、操作盤の他の装備と共にかご室１の例えば片側のリターンパネルに設置される。
【００４０】
第３の実施形態の作用は、視覚障害者が、突出した丸みのある触感と、帯状の連続凸体の触感とを区別して知覚できる。行先階操作ボタン４２ａ、４２ｂ・・・が目的の階の行先階操作ボタンでない場合は、この操作ボタンの横を巡る帯状の連続凸体４４ａを帯の連なる方向に辿って、目的の階の行先階操作ボタン４２ａ、４２ｂ・・・に到達する。
【００４１】
本実施形態によれば、点字の判読を習熟していない視覚障害者が、凸状または凹状に表示されている階を認識でき、さらに、触知している行先階操作ボタン以外の行先階操作ボタンへ移動する時に、行先階操作ボタンの間を辿る帯状の凸体が連続しているので、触覚による追従が簡単に行なえて、目的とする階の操作ボタンにすばやく、容易に到達できる効果がある。また、行先階操作ボタンの間を辿る帯状の凸体が、この操作ボタンの横を巡るように配され囲むので、行先階操作ボタンを誤って押すことを防止する利点もある。
【００４２】
図５は、本発明の第４の実施形態を示す概念図であり、同図（ａ）は、本実施形態の行先階操作ボタン及びフェースプレートの触知ガイドを正面から見た図であり、同図（ｂ）は、同じくフェースプレート等を斜め横から見て、凹凸の様子を示す図である。
【００４３】
第４の実施形態のかご内操作盤５１は、図５に示すように、階数字が凸状または凹状に形成された突出したボタンキャップを備える行先階操作ボタン５２ａ、５２ｂ・・・と、この行先階操作ボタン５２ａ、５２ｂ・・・の間を、階順に辿る方向に長く配置され、それぞれの一端部と他の一端部の高さが異なる上面が傾斜した突起凸体５４ａ、５４ｂ・・・の触知ガイドが形成されたフェースプレート５４により、かご室側からカバー保護して、操作盤の他の装備と共にかご室１の例えば片側のリターンパネルに設置される。なお、傾斜した突起凸体５４ａ、５４ｂ・・・の傾斜の配置の方向を、例えば、図５に示すような、上層階の行先階操作ボタン側が低い高さとなるように統一して傾斜した突起凸体の形成を行なう。
【００４４】
第４の実施形態の作用は、視覚障害者が、かご内操作盤５１の一部に触れ、さらに付近を触れると、突出した丸みのある触感と、直線でその端部の高さが異なる突起の触感とを区別して知覚する。丸みのある方の凸状または凹状に形成された階数字を指先の触覚で知覚する。この操作ボタンが目的の階の行先階操作ボタンでない場合は、例えば、突起凸体の形成が、上層階の行先階操作ボタン側が低いと統一されていることを予め知る乗降客の視覚障害者が、例えば、さらに上階層を希望する時は高い端部が接している突起凸体の方に目的の行先階操作ボタンがあることを承知し、迅速に傾斜している突起凸体の高い端部を順次触知して、目的の階の行先階操作ボタン５２ａ、５２ｂ・・・に到達する。
【００４５】
本実施形態によれば、点字の判読を習熟していない視覚障害者でも、行先階操作ボタンの指示する階を認識でき、また、触知している行先階操作ボタンに接する２つの傾斜した突起凸体の高さにより、上層階または下層階への辿る方向が容易に判別できて、目的とする行先階操作ボタンに迅速な到達ができる。
【００４６】
また、視覚に障害のない健常者のエレベータの乗降客に対しても、行先階操作ボタンとその配列順を視覚的に認知ができ、機能的にも、意匠的にも効果のあるかご内操作盤を提供することができる。
【００４７】
図６は、本発明の第５の実施形態を示す概念図であり、同図（ａ）は、本実施形態の行先階操作ボタン及びフェースプレートの触知ガイドを正面から見た図であり、同図（ｂ）は、同じくフェースプレート等を斜め横から見て、凹凸の様子を示す図である。
【００４８】
第５の実施形態のかご内操作盤６１は、図６に示すように、階数字が凸状または凹状に形成された突出したボタンキャップを備える行先階操作ボタン６２ａ、６２ｂ・・・と、この行先階操作ボタン６２ａ、６２ｂ・・・の間を、階順に辿る方向に長く配置され、それぞれの一端部と他の一端部の幅が異なる楔状平板凸体６４ａ、６４ｂ・・・の触知ガイドが形成されたフェースプレート６４により、かご室側からカバー保護して、操作盤の他の装備と共にかご室１の例えば片側のリターンパネルに設置される。なお、本実施形態にあっても、楔状平板凸体６４ａ、６４ｂ・・・の楔形の配置の方向を、例えば、図６に示すような、上層階の行先階操作ボタン側が下層階の行先階操作ボタン側に比べて狭い幅となるように統一して楔状平板凸体の形成を行なう。
【００４９】
第５の実施形態の作用は、点字の判読を習熟していない視覚障害者が同じく触感で、行先階操作ボタン６２ａ、６２ｂ・・・であることとその操作ボタンの指示する階も知覚できる。この操作ボタンが目的の階の行先階操作ボタンでない場合は、予め承知している統一された楔状平板凸体の配置方向から、乗降客の視覚障害者が、触知した２つの楔状平板凸体のそれぞれの幅から、第４の実施形態と同様に辿る方向を認識して、目的の階の行先階操作ボタン６２ａ、６２ｂ・・・に到達する。
【００５０】
本実施形態によっても、第４の実施形態と同様に、点字の判読を習熟していない視覚障害者が、行先階操作ボタンの指示する階を認識でき、上層階または下層階の区別が容易に判別して、目的とする行先階操作ボタンに迅速な到達ができる。
【００５１】
また、視覚に障害のない健常者のエレベータの乗降客に対して、第４の実施形態よりも視覚的に識別し易い幅の違いにより、行先階操作ボタンとその配列順を認知できるので、機能的にも、意匠的にも効果のあるかご内操作盤を提供することができる。
【００５２】
図７は、本発明の第６の実施形態を示す概念図であり、同図（ａ）は、本実施形態の行先階操作ボタン及びフェースプレートの触知ガイドを正面から見た図であり、同図（ｂ）は、同じくフェースプレート等を斜め横から見て、凹凸の様子を示す図である。
【００５３】
第６の実施形態のかご内操作盤７１は、階数字が凸状または凹状に形成された行先階操作ボタン７２ａ、７２ｂ・・・と、この行先階操作ボタン７２ａ、７２ｂ・・・の間を、複数の突起体を配列した突起列７４ａ、７４ｂ・・・の触知ガイドを備えるフェースプレート７４により、かご室側からカバー保護して、操作盤の他の装備と共にかご室１の例えば片側のリターンパネルに設置される。
【００５４】
第６の実施形態の作用は、視覚障害者が、かご内操作盤７１の一部に触れ、さらに付近を触れると、突出した丸みのある触感と、断続する突起体の配列の触感とを区別して知覚できる。丸みのある方の凸状または凹状に形成された階数字を指先の触覚で知覚する。この知覚により、操作ボタンが目的の階の行先階操作ボタンでない場合は、この操作ボタンに連なる断続する突起体の配列の突起列７４ａ、７４ｂ・・・を配列の方向に辿って、目的の階の行先階操作ボタン７２ａ、７２ｂ・・・に到達する。
【００５５】
本実施形態によれば、点字の判読を習熟していない視覚障害者でも、階数字を凸状または凹状に表示する行先階操作ボタンを容易に知覚できる。また、触知している行先階操作ボタン以外の行先階操作ボタンの場所を、行先階操作ボタンの間を辿る方向に配置された断続する突起体の連なりにより簡単に察知できるので、目的とする階の操作ボタンにすばやく、容易に到達できる効果がある。
【００５６】
図８は、本発明の第７の実施形態を示す概念図であり、同図（ａ）は、本実施形態の行先階操作ボタン及びフェースプレートの触知ガイドを正面から見た図であり、同図（ｂ）は、同じくフェースプレート等を斜め横から見て、凹凸の様子を示す図である。
【００５７】
第７の実施形態のかご内操作盤８１は、図８に示すように、階数字が凸状または凹状に形成され、ボタンキャップを備える行先階操作ボタン８２ａ、８２ｂ・・・と、この行先階操作ボタン８２ａ、８２ｂ・・・の間を、階順に辿る方向に長く形成される凹溝８４ａ、８４ｂ・・・の触知ガイドを備えるフェースプレート８４により、かご室側からカバー保護して、操作盤の他の装備と共にかご室１の例えば片側のリターンパネルに設置される。
【００５８】
第７の実施形態の作用は、視覚障害者がかご室に乗り込んで、壁面を構成するのリターンパネルに設置されたかご内操作盤８１の一部に触れる。さらに付近を触れると、突出した丸みのある触感と、直線状の窪みの触感とを区別して知覚できて、丸みのある触感の方に、凸状または凹状に形成された階数字を指先の触覚で知覚する。この知覚により、行先階操作ボタン８２ａ、８２ｂ・・・であることとその操作ボタンの指示する階数も認識できる。
【００５９】
この操作ボタンが目的の階の行先階操作ボタンでない場合は、この操作ボタンの近傍に設けられた直線の窪みの触感がする凹溝８４ａ、８４ｂ・・・を辿って、順次目的の階の行先階操作ボタン８２ａ、８２ｂ・・・に到達する。
【００６０】
本実施形態によれば、点字の判読を習熟していない視覚障害者が、行先階操作ボタンの指示する階を認識できる。また、触知している行先階操作ボタン以外の目的の行先階操作ボタンを辿る方向を、凹溝により簡単に察知できるので、目的とする階の操作ボタンに素早く、容易に到達できる効果がある。
【００６１】
なお、フェースプレート８４に形成する触知ガイドである凹溝８４ａ、８４ｂ・・・は、部分切削加工、凹溝加工物の嵌め込み、注型金型による注型形成等の何れにより形成しても、上述と同等の効果が得られる。
【００６２】
図９は、本発明の第８の実施形態を示す概念図であり、同図（ａ）は、本実施形態の行先階操作ボタン及びフェースプレートの触知ガイドを正面から見た図であり、同図（ｂ）は、同じくフェースプレート等を斜め横から見て、凹凸の様子を示す図である。
【００６３】
第８の実施形態のかご内操作盤９１は、図９に示すように、階数字が凸状または凹状に形成され、ボタンキャップを備える行先階操作ボタン９２ａ、９２ｂ・・・と、この行先階操作ボタン９２ａ、９２ｂ・・・の外周を囲む凸状のボタン枠９３ａ、９３ｂ・・・と、この行先階操作ボタン９２ａ、９２ｂ・・・の間を、階順に辿る方向に長く配置された、例えば突起凸体９４ａ、９４ｂ・・・の触知ガイドを備えるフェースプレート９４により、かご室側からカバー保護して、操作盤の他の装備と共にかご室１の例えば片側のリターンパネルに設置される。
【００６４】
第８の実施形態の作用は、視覚障害者がエレベータのかご室１に乗り込み、かご室１の壁伝い進むと、壁面を構成するのリターンパネルに設置されたかご内操作盤９１の一部に触れることができる。さらに付近を触れると、丸みのあるリング状の枠、及び中央に凸体または凹状の数字の２つの触感と、直線の突起凸体の触感とを知覚できて、丸みのある方の凸体に形成された階数字を指先の触覚で知覚する。このとき、行先階操作ボタンこを囲むボタン枠９３により、その内側に有る行先階操作ボタンを誤って押すこと無く保護して、行先階操作ボタン９２ａ、９２ｂ・・・の指示する階数も認識できる。
【００６５】
この操作ボタンが目的の階の行先階操作ボタンでない場合は、この操作ボタンに連なる直線の突起の触感がする突起凸体９４ａ、９４ｂ・・・を順次辿って、目的の階の行先階操作ボタン９２ａ、９２ｂ・・・に到達する。
【００６６】
本実施形態によれば、点字の判読を習熟していない視覚障害者でも、行先階操作ボタンの周囲に巡らした凸状ボタン枠により保護されて、触知している行先階操作ボタンを誤って押すことが無いようにできる。また、他の行先階操作ボタンの存在場所を、突起凸体９４ａ、９４ｂ・・・を辿って探る場合にも、ボタン枠により目的としない行先階操作ボタンを誤って押すことが無いので、目的とする階の操作ボタンに素早く、容易に到達できる効果がある。
【００６７】
図１０は、本発明の第９の実施形態を示す概念図であり、同図（ａ）は、本実施形態の行先階操作ボタン及びフェースプレートの触知ガイドを斜め横から見た図であり、同図（ｂ）は、ＺＺ‘におけるフェースプレート及び発光体等の構成を示す断面図である。
【００６８】
第９の実施形態のかご内操作盤１０１は、図１０（ａ）及び（ｂ）に示すように、階数字が凸状に形成され、突出したボタンキャップを備える行先階操作ボタン１０２ａ、１０２ｂ・・・と、この行先階操作ボタン１０２ａ、１０２ｂ・・・の間を、階順に辿る方向に長く配置された、例えば突起凸体１０４ａ、１０４ｂ・・・の触知ガイドと、触知ガイドである突起凸体１０４ａ、１０４ｂ・・・の背面からこれを照明する冷陰極蛍光ランプからなる発光体１０５ａ、１０５ｂ・・・とを備えるフェースプレート１０４により、かご室側からカバー保護して、操作盤の他の装備と共にかご室１の例えば片側のリターンパネルに設置される。発光体１０５ａ、１０５ｂ・・・は、例えば突起凸体１０４ａの背面にホルダ１０６により取り付けられる。
【００６９】
第９の実施形態の作用は、先ず、視覚障害者がエレベータのかご室１に乗り込み、前述の実施形態の作用と同様にして、行先階操作ボタン１０２ａ、１０２ｂ・・・であることとその操作ボタンの指示する階も認識し、順次目的の階の行先階操作ボタンに到達する。触知ガイドを照明する冷陰極蛍光ランプは、その管径が１ｍｍから６ｍｍ程度の細管の照明器で、高輝度が得られるので、フェースプレート１０４に取り付けて使用しても、行先階操作ボタン及び突起凸体の触知ガイドを明るく照明する。したがって、本実施形態の冷陰極蛍光ランプからなる発光体１０５ａ、１０５ｂ・・・により、例えば突起凸体１０４ａ、１０４ｂ・・・から成る触知ガイドのそれぞれが明るく照明されるので、エレベータを利用する視覚障害者が弱視者のように僅かな光を感じる乗降客が利用する場合に、突起凸体の触知ガイドの位置をその背部からの光で、認知することができて、触知による認知を補助する。
【００７０】
本実施形態によれば、点字の判読を習熟していない弱視の視覚障害者が、フェースプレート１０４に組み込んだ高輝度の冷陰極蛍光ランプにより照明される触知ガイドから発せられる光を認識して、触知による行先階操作ボタンの配置場所の認識を補助するので、目的とする階の操作ボタンに素早く、容易に到達できる効果がある。また、健常者の乗降客に対しても、鮮やかに照明されたかご内操作盤は、意匠的にも好適となる利点がある。
【００７１】
図１１は、本発明の第１０の実施形態を示す概念図であり、同図（ａ）は、本実施形態の行先階操作ボタンとフェースプレートの触知ガイド及び階表示を正面から見た図であり、同図（ｂ）は、同じくフェースプレート等を斜め横から見て、凹凸の様子を示す図である。
【００７２】
第１０の実施形態のかご内操作盤１１１は、図１１（ａ）及び（ｂ）に示すように、ボタンキャップがフェースプレート１１４の表面と同じ高さに設けられた行先階操作ボタン１１２ａ、１１２ｂ・・・と、この行先階操作ボタン１１２ａ、１１２ｂ・・・の間を、階順に辿る方向に、フェースプレート１１４に長く配置された、例えば突起凸体１１４ａ、１１４ｂ・・・の触知ガイドと、この触知ガイドの付された行先階操作ボタン１１２ａ、１１２ｂ・・・と触知ガイドの間のフェースプレート１１４に当該行先階操作ボタンの行先階を凸状に形成した階数字１１５ａ、１１５ｂ・・・とを備えるフェースプレート１１４により、かご室側からカバー保護して、操作盤の他の装備と共にかご室１の例えば片側のリターンパネルに取り付けられる。
【００７３】
第１０の実施形態の作用は、視覚障害者が、フェースプレート１１４の凸状の形態を触知して、それが、階数を示す数字１１５ａ、１１５ｂ・・・、或いは直線的なブロック及び配列の形態の触知ガイド１１４ａ、１１４ｂ・・・を識別する。触知する視覚障害者は、フェースプレート１１４に凸状に設けられた階数字と触知ガイドのみに触れて、目的の階の位置に到達する。
【００７４】
目的の階の、例えば、階数字１１５ｂに触れている視覚障害者は、触知ガイドと反対側にある、行先階操作ボタン１１２ｂに始めて触れて、行先階を指定する。
【００７５】
本実施形態によれば、視覚障害者が、フェースプレート１１４を触知して、触知ガイドを辿る時に、全ての行先階操作ボタン１１２ａ、１１２ｂ・・・に触れてしまったり、誤って押したりすること無く、目的とする階まで、階数字と触知ガイドを触れて辿ることができる。
【００７６】
また、第８の実施形態に示した、行先階操作ボタン１１２ａ、１１２ｂ・・・に不意に触れることの無いように、各行先階操作ボタンの外周を囲む凸状のボタン枠を設けて、この行先階操作ボタン１１２ａ、１１２ｂ・・・を接触センサタイプの操作ボタンとすることもできて、軽いタッチにより操作できる、操作性の良いエレベータ操作盤を提供できる利点がある。
【００７７】
上述の各実施形態は、エレベータのかご室内に設けられるかご内操作盤を例に説明したが、各実施形態と同様の形態で形成される階数字と触知ガイドを有するフェースプレートによる、エレベータの各階の乗場の建屋壁面に設けられる乗場操作盤も、本発明の目的とする、点字判読の可否の如何を問わず視覚障害者に対し、フェースプレートに設けられた各階への行先階操作ボタンの中から、目的とする行先階操作ボタンの位置へ迅速に案内するエレベータ操作盤を提供することが同じくできることは言うまでも無い。
【００７８】
なお、光源として冷陰極蛍光ランプを用いたが、ＬＥＤ（半導体発光素子）や有機ＥＬ（エレクトロルミネセンス）を用いても良く、発光色は白色に限らず設置場所、周囲環境、光量、時刻、季節等に応じて他の色を用いても良い。また、本発明の目的を達成するものであれば光源としての冷陰極蛍光ランプ、ＬＥＤ、有機ＥＬ等を適当にまぜて配置しても良いことはもちろんである。
【００７９】
【発明の効果】
以上、説明したように本発明によるエレベータかご内操作盤は、行先階を指定する行先階操作ボタンの階表示をボタンキャップの上面に凸状に形成し、またこれ等の行先階操作ボタンの間に、階の順に連結する凸状または凹溝の触知ガイドを設けて、点字判読の可否の如何を問わず視覚障害者に対し、かご内操作盤の行先階ボタン及び凸状または凹溝の触知ガイドの触感により、目的とする行先階ボタンの位置へ案内することができる。また、健常の乗降客に対しても、本発明のエレベータかご内操作盤は、ボタンキャップの表示及び行先階操作ボタンの配列が、視覚的にも認識しやすくなるので、意匠的にも好感を与える利点を有する。
【図面の簡単な説明】
【図１】本発明のエレベータかご内操作盤を設置したかご室の模式図。
【図２】本発明の第１の実施形態の概念を示す正面図及び斜視図。
【図３】本発明の第２の実施形態の概念を示す正面図及び斜視図。
【図４】本発明の第３の実施形態の概念を示す正面図及び斜視図。
【図５】本発明の第４の実施形態の概念を示す正面図及び斜視図。
【図６】本発明の第５の実施形態の概念を示す正面図及び斜視図。
【図７】本発明の第６の実施形態の概念を示す正面図及び斜視図。
【図８】本発明の第７の実施形態の概念を示す正面図及び斜視図。
【図９】本発明の第８の実施形態の概念を示す正面図及び斜視図。
【図１０】本発明の第９の実施形態の概念を示す正面図及び斜視図。
【図１１】本発明の第１０の実施形態の概念を示す正面図及び斜視図。
【図１２】従来のエレベータに設けられるかご内操作盤を示す概念図。
【符号の説明】
１、１２０・・・かご室、
２ａ、２ｂ、１２６・・・かご扉、
３ａ、３ｂ、１２７・・・リターンパネル、
４・・・かご天井、
５・・・かご床、
６、１２５・・・側板、
１１、２１、３１、４１、５１、６１、７１、８１，９１、１０１、１１１・・・かご内操作盤、
１２ａ、１２ｂ、２２ａ、２２ｂ、３２ａ、３２ｂ、４２ａ、４２ｂ、５２ａ、５２ｂ、６２ａ、６２ｂ、７２ａ、７２ｂ、８２ａ、８２ｂ、９２ａ、９２ｂ、１０２ａ、１０２ｂ、１１２ａ、１１２ｂ・・・行先階操作ボタン、
１３、１２３・・・かご扉開閉操作ボタン、
１４、２４、３４、４４、５４、６４、７４、８４、９４、１０４、１１４・・・フェースプレート、
１４ａ、１４ｂ・・・触知ガイド、
１５・・・ボタンキャップ、
１６・・・凸状の階数字、
１７・・・インターホーン、
１８・・・凹状の階数字、
２４ａ、２４ｂ，９４ａ、９４ｂ、１０４ａ、１０４ｂ、１１４ａ、１１４ｂ・・・突起凸体、
３４ａ、３４ｂ・・・隆起体、
４４ａ・・・帯状の連続凸体、
５４ａ、５４ｂ・・・傾斜した突起凸体、
６４ａ、６４ｂ・・・楔状平板凸体、
７４ａ、７４ｂ・・・突起列、
８４ａ、８４ｂ・・・凹溝、
９３ａ、９３ｂ・・・ボタン枠、
１０５ａ・・・冷陰極蛍光ランプ、
１０６・・・ホルダ、
１１５ａ、１１５ｂ・・・階数字、
１２１・・・かご内操作盤、
１２２ａ〜１２２ｄ・・・行先階ボタン、
１２８ａ〜１２８ｅ・・・点字銘板。
【図１】
2004203616.tif 000003
【図２】
2004203616.tif 000004
【図３】
2004203616.tif 000005
【図４】
2004203616.tif 000006
【図５】
2004203616.tif 000007
【図６】
2004203616.tif 000008
【図７】
2004203616.tif 000009
【図８】
2004203616.tif 000010
【図９】
2004203616.tif 000011
【図１０】
2004203616.tif 000012
【図１１】
2004203616.tif 000013
【図１２】
2004203616.tif 000014